(57)【特許請求の範囲】
【請求項１】
デジタル衛星放送の伝送フレームからスーパーフレームに同期したスーパーフレーム同期信号を生成するスーパーフレーム同期信号生成回路であって、
入力トランスポートストリームと順次比較してフレーム同期語Ｗ１の前半部分を検出する第１の比較器とスーパーフレーム識別用同期語Ｗ２の後半部分を検出する第２の比較器とスーパーフレーム識別用同期語Ｗ２の前半部分を検出する第３の比較器とフレーム識別用同期語Ｗ１の後半部分を検出する第４の比較器とフレーム同期語Ｗ１の前半部分を検出する第５の比較器とが縦続接続された比較手段と、
第５の比較器によりフレーム同期語Ｗ１の前半部分を検出したときから第５の比較器の入力トランスポートストリームを２０４バイト計数する第１のカウンタと、第４の比較器によりフレーム同期語Ｗ１の後半部分を検出しかつ第１のカウンタによる２０４バイトの計数を終了したときから第４の比較器の入力トランスポートストリームを１０スロット分計数する第２のカウンタと、第３の比較器によりスーパーフレーム識別用フレーム同期語Ｗ２の前半部分を検出しかつ第２のカウンタによる１０スロット分の計数を終了したときから第３の比較器の入力トランスポートストリームを２０４バイト計数する第３のカウンタと、第２の比較器によりスーパーフレーム識別用フレーム同期語Ｗ２の後半部分を検出しかつ第３のカウンタによる２０４バイトの計数を終了したときから第２の比較器の入力トランスポートストリームをスーパーフレーム残り分にわたって計数する第４のカウンタと、
を備え、第４のカウンタによる１スーパーフレーム残り分の計数終了したときにおける第１の比較器によりフレーム同期語Ｗ１の前半部分を検出した検出信号をスーパーフレーム同期信号として送出することを特徴とするスーパーフレーム同期信号生成回路。
【発明の詳細な説明】
【０００１】
【発明の属する技術分野】
本発明はデジタル衛星放送の伝送フレームからスーパーフレームに同期した信号（本明細書において、スーパーフレーム同期信号と記す）を生成するスーパーフレーム同期信号生成回路に関する。
【０００２】
【従来の技術】
デジタル衛星放送において、階層化伝送に基づくフォーマットが用いられている。このフォーマットには、８フレームで一つのスーパーフレームを構成し、そのスーパーフレームの先頭からフレーム伝送情報や変調方式などの情報を示すＴＭＣＣ（Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ）信号が挿入されている。また、デジタル衛星放送における多重化はスーパーフレーム単位で行われるなど、スーパーフレーム毎に信号処理が行われる。
【０００３】
しかし、デジタル衛星放送で定められているフレーム構成に合わせてデータを多重する場合に、伝送フレームの先頭にデータの構成にしたがってＴＭＣＣ信号を形成しないと、後段の伝送路符号化器で多重構成にしたがってデジタル変調を掛けたりすることが出来ない。
【０００４】
例えば、トランスポートストリーム（ＴＳ）と共に、スーパーフレーム同期信号が送出されてくる場合は、スーパーフレーム同期信号に基づいてトランスポートストリームをフレーム構成とすることは可能であるが、スーパーフレーム同期信号が送出されてこない場合は、スーパーフレームの先頭に同期したスーパーフレーム同期信号を生成することが必要となる。
【０００５】
また、受信側においても、デインターリーブされた多重化トランスポートストリームから個別のトランスポートストリームに分離するときにもスーパーフレームの先頭を検出することが必要となる。
【０００６】
従来のスーパーフレーム同期信号の生成を具体的に示せば図２に示す如くである。
【０００７】
図２（ａ）は入力されるトランスポートストリームを模式的に示し、図３はフレーム単位で１スーパーフレーム分を模式的に示している。１スロットは２０４バイト構成であり、１フレームは４８スロット構成であり、１スーパーフレームは８フレーム構成である。１Ｂ９５ｈ（Ｗ１）はフレーム同期語であり、Ａ３４０ｈ（Ｗ２）および５ＣＢＦｈ（Ｗ３）はスーパーフレーム識別用同期語である。
【０００８】
各スロットの先頭には同期語を含むＴＭＣＣ信号が１バイトづつ付加されている。詳細には、フレーム同期語Ｗ１は各フレームの第１および第２スロットの先頭に１バイトづつ、スーパーフレーム識別用同期語Ｗ２は第１フレームの第１１および第１２スロットの先頭に１バイトづつ、スーパーフレーム識別用同期語Ｗ３は第２〜第８フレームの第１１および第１２スロットの先頭に１バイトづつ付加されている。ここでｈは１６進数であることを示している。
【０００９】
図２（ｂ）は従来のスーパーフレーム同期信号生成回路２０の構成を示す。
【００１０】
スーパーフレーム同期信号生成回路２０は入力トランスポートストリーム２０４バイト分を格納するメモリ２１、メモリ２１から読み出したトランスポートストリーム１２スロット分を格納するメモリ２２、メモリ２２から読み出したトランスポートストリーム２０４バイト分を格納するメモリ２３を備えて、メモリ２１の入力と出力とから同期語Ｗ２を同期語Ｗ２検出器２４で検出し、かつメモリ２３の入力と出力とから同期語Ｗ１を同期語Ｗ１検出器２５で検出したとき、スーパーフレーム同期信号送出回路２６からスーパーフレーム同期信号を送出すると共に、メモリ２３に供給してスーパーフレーム同期信号に同期してトランスポートストリームを出力させるようにしている。
【００１１】
【発明が解決しようとする課題】
このように、従来は、メモリ２２に１２スロット分のトランスポートストリームのデータを格納して、フレームの先頭のＴＭＣＣ部分に挿入されている同期語（Ｗ１、Ｗ２）を検出して、スーパーフレームの先頭を認識しているが、１２スロット分のメモリ容量を持たなければならず、回路規模が膨大になるという問題点がある。
【００１２】
本発明は回路規模が小さくて済むスーパーフレーム同期信号生成回路を提供することを目的とする。
【００１５】
【課題を解決するための手段】
本発明の請求項１にかかるスーパーフレーム同期信号生成回路は、デジタル衛星放送の伝送フレームからスーパーフレームに同期したスーパーフレーム同期信号を生成するスーパーフレーム同期信号生成回路であって、
入力トランスポートストリームと順次比較してフレーム同期語Ｗ１の前半部分を検出する第１の比較器とスーパーフレーム識別用同期語Ｗ２の後半部分を検出する第２の比較器とスーパーフレーム識別用同期語Ｗ２の前半部分を検出する第３の比較器とフレーム識別用同期語Ｗ１の後半部分を検出する第４の比較器とフレーム同期語Ｗ１の前半部分を検出する第５の比較器とが縦続接続された比較手段と、
第５の比較器によりフレーム同期語Ｗ１の前半部分を検出したときから第５の比較器の入力トランスポートストリームを２０４バイト計数する第１のカウンタと、第４の比較器によりフレーム同期語Ｗ１の後半部分を検出しかつ第１のカウンタによる２０４バイトの計数を終了したときから第４の比較器の入力トランスポートストリームを１０スロット分計数する第２のカウンタと、第３の比較器によりスーパーフレーム識別用フレーム同期語Ｗ２の前半部分を検出しかつ第２のカウンタによる１０スロット分の計数を終了したときから第３の比較器の入力トランスポートストリームを２０４バイト計数する第３のカウンタと、第２の比較器によりスーパーフレーム識別用フレーム同期語Ｗ２の後半部分を検出しかつ第３のカウンタによる２０４バイトの計数を終了したときから第２の比較器の入力トランスポートストリームをスーパーフレーム残り分にわたって計数する第４のカウンタと、
を備え、第４のカウンタによる１スーパーフレーム残り分の計数終了したときにおける第１の比較器によりフレーム同期語Ｗ１の前半部分を検出した検出信号をスーパーフレーム同期信号として送出することを特徴とする。
【００１６】
本発明の請求項１にかかるスーパーフレーム同期信号生成回路によれば、第５の比較器によるフレーム同期語Ｗ１の前半検出と第１のカウンタの計数が終了しかつ第４の比較器によるフレーム同期語Ｗ１の後半検出とによって第１フレームにおけるフレーム同期語Ｗ１が検出され、第２のカウンタの計数終了と第３の比較器によるスーパーフレーム識別用同期語Ｗ２の前半検出と第３のカウンタの終了と第２の比較器によるスーパーフレーム識別用同期語Ｗ２の後半検出とによって第１フレームにおけるスーパーフレーム識別用同期語Ｗ２が検出される。したがって第４のカウンタの計数終了時は次のスーパーフレームの先頭であって、このときに第１の比較器によってフレーム同期語Ｗ１の前半が検出されたときの信号がスーパーフレーム同期信号として出力される。
【００１７】
上記のように、本発明にかかるスーパーフレーム同期信号生成回路によれば比較器とカウンタによってスーパーフレーム同期信号を生成することができて、回路規模は小さくてすむ。
【００１８】
【発明の実施の形態】
本発明にかかるスーパーフレーム同期信号生成回路を実施の形態によって説明する。
【００１９】
図１は本発明の実施の一形態にかかるスーパーフレーム同期信号生成回路の構成を示すブロック図である。
【００２０】
図１（ａ）は図２（ａ）を再記したものである。
【００２１】
図１（ｂ）は本発明の実施の一形態にかかるスーパーフレーム同期信号生成回路１５の構成を示すブロック図である。
【００２２】
入力されたトランスポートストリームは、縦続接続されている同期語Ｗ１の前半部分を示す１Ｂｈを検出する比較器１、同期語Ｗ２の後半部分を示す４０ｈを検出する比較器２、同期語Ｗ２の前半部分を示すＡ３ｈを検出する比較器３、同期語Ｗ１の後半部分を示す９５ｈを検出する比較器４および同期語Ｗ１の前半部分を示す１Ｂｈを検出する比較器５へ順次供給される。
【００２３】
入力トランスポートストリームは比較器１に設定されている同期語Ｗ１の前半部分１Ｂｈと比較され、入力トランスポートストリーム中の同期語Ｗ１の前半部分１Ｂｈが検出される。比較器１から出力されたトランスポートストリームは比較器２に設定されている同期語Ｗ２の後半部分４０ｈと比較され、トランスポートストリーム中の同期語Ｗ２の後半部分４０ｈが検出される。比較器２から出力されたトランスポートストリームは比較器３に設定されている同期語Ｗ２の前半部分Ａ３ｈと比較され、トランスポートストリーム中の同期語Ｗ２の前半部分Ａ３ｈが検出される。
【００２４】
同様に、比較器３から出力されたトランスポートストリームは比較器４に設定されている同期語Ｗ１の後半部分９５ｈと比較され、トランスポートストリーム中の同期語Ｗ１の後半部分９５ｈが検出される。比較器４から出力されたトランスポートストリームは比較器５に設定されている同期語Ｗ１の前半部分１Ｂｈと比較され、トランスポートストリーム中の同期語Ｗ１の前半部分１Ｂｈが検出される。
【００２５】
比較器５においてトランスポートストリーム中から同期語Ｗ１の前半部分１Ｂｈが検出されたとき、検出パルスをが２０４バイトカウンタ６に出力されて２０４バイトカウンタ６により比較器５の入力トランスポートストリームの計数が開始させられる。この状態は第１〜第８のフレームの何れかにおいて同期語Ｗ１の前半部分１Ｂｈが検出された状態である。
【００２６】
この状態で引き続いて、２０４バイトカウンタ６におけるカウント開始後から入力されてくるトランスポートストリームと、次に挿入されているべき同期語Ｗ１の後半部分９５ｈとが比較器４において比較されることになる。
【００２７】
２０４バイトカウンタ６における計数期間中にまた同期語Ｗ１の前半部分１Ｂｈが検出されている可能性もあるので、２０４バイトカウンタ６におけるトランスポートストリームのカウント開始後はカウンタの計数開始指示信号である検出パルスが印加される入力端子はディスイネーブルにしておく。
【００２８】
２０４バイトカウンタ６により比較器４の入力トランスポートストリーム２０４バイト分の計数が終了したら計数終了パルスが出力される。この計数終了パルスが出力されたときは、第１〜第８のフレームの何れかにおける第１スロット分の計数が終了し、第２スロットの同期語Ｗ１の後半部分９５ｈが検出された状態に該当する。
【００２９】
この計数終了パルスと比較器４において同期語Ｗ１の後半部分９５ｈを検出した検出パルスとはアンドゲート７に供給され、アンドゲート７の出力が検出パルスとして１０スロット分カウンタ８に供給されて、比較器４に入力されるトランスポートストリームの計数が開始される。この状態では、第１〜第８のフレームの何れかにおける第２スロットの同期語Ｗ１の後半部分９５ｈを検出した状態に該当する。
【００３０】
このとき、もし、比較器４において同期語Ｗ１の後半部分９５ｈが検出されなかったら再び２０４バイトカウンタ６をイネーブルにして、上記した最初の動作に戻される。
【００３１】
引き続いて１０スロット分カウンタ８におけるカウント開始後に入力されてくるトランスポートストリームと、次に挿入されているべき同期語Ｗ２の前半部分Ａ３ｈとが比較器３において比較される。
【００３２】
同様の手順で、１０スロット分カウンタ８において、比較器４に入力されるトランスポートストリームが１０スロット分計数されたとき比較器３において同期語Ｗ２の前半部分Ａ３ｈが検出されると、アンドゲート９から検出パルスが２０４バイトカウンタ１０に送出され、比較器３に入力されるトランスポートストリームが２０４バイトカウンタ１０において計数される。この状態では、第１フレームの第１１スロットにおける同期語Ｗ２の前半部分Ａ３ｈが検出された状態である。
【００３３】
２０４バイトカウンタ１０により比較器３の入力トランスポートストリーム２０４バイト分の計数が終了したとき比較器２において同期語Ｗ２の後半部分４０ｈが検出されると、アンドゲート１１から検出パルスがスーパーフレーム残り分カウンタ１２に送出され、比較器２に入力されるトランスポートストリームがスーパーフレーム残り分カウンタ１２において計数される。
【００３４】
残りのスロット分（３７２スロット分（３６＋７×４８スロット分））がスーパーフレーム残り分カウンタ１２において計数される。この計数が終わると次のスーパーフレームの先頭になっているはずであって、比較器１にて同期語Ｗ１の前半分１Ｂｈが検出される。この検出によってスーパーフレーム同期信号と比較器１への入力トランスポートストリームとが合わせて出力される。
【００３５】
この繰り返しで、常にトランスポートストリームからスーパーフレーム同期信号が送出される。
【００３６】
このように、スーパーフレーム同期信号生成回路１５は、伝送されてきたトランスポートストリームからＴＭＣＣ部分にある同期語を検出して、その同期語間のトランスポートストリーム数を計数してスーパーフレーム同期信号が生成されることになる。
【００３７】
【発明の効果】
以上説明したように本発明にかかるスーパーフレーム同期信号生成回路によれば、大容量のメモリを用いなくても複数個のカウンタで構成できて、スーパーフレーム同期信号生成回路の回路構成が小規模ですむ。
【図面の簡単な説明】
【図１】本発明の実施の一形態にかかるスーパーフレーム同期信号生成回路の構成を示すブロック図である。
【図２】従来のスーパーフレーム同期信号生成回路の構成を示すブロック図である。
【図３】１スーパーフレームの説明に供する模式図である。
【符号の説明】
１〜５  比較器
６および１０  ２０４バイトカウンタ
８  １０スロット分カウンタ
１２  スーパーフレーム残り分カウンタ
【図１】
0003559840.tif 000002
【図２】
0003559840.tif 000003
【図３】
0003559840.tif 000004